(57)【要約】【課題】  電磁振動による接続導体の動きを防止し、接続導体を容易に強固に固定する回転電機の固定子を得る。【解決手段】  リング状のコアの内側に複数のティースがヨークより突出され、各ティース及びヨークに絶縁ボビンが成形され、絶縁ボビンを介して各ティースに電線が複数層巻回されてコイルが形成されるものにおいて、各コイルと接続する接続導体を、絶縁ボビンに嵌め込まれ固定される樹脂成形品により固定するようにした。上記樹脂成形品は接続導体下支えと接続導体上支えとで構成され、接続導体下支えと接続導体上支え間に接続導体を保持し、上記樹脂成形品が絶縁ボビンに嵌め込まれて固定されるようにした。【選択図】図４
2005130580.tif 000002
【特許請求の範囲】
【請求項１】
リング状のコアの内側に複数のティースがヨークより突出され、上記各ティース及びヨークに絶縁ボビンが成形され、上記絶縁ボビンを介して上記各ティースに電線が複数層巻回されてコイルが形成されるものにおいて、上記各コイルと接続する接続導体を、上記絶縁ボビンに嵌め込まれ固定される樹脂成形品により固定するようにしたことを特徴とする回転電機の固定子。
【請求項２】
上記樹脂成形品は接続導体下支えと接続導体上支えとで構成され、上記接続導体下支えと接続導体上支え間に上記接続導体を保持し、上記樹脂成形品が上記絶縁ボビンに嵌め込まれて固定されるようにしたことを特徴とする請求項１記載の回転電機の固定子。
【発明の詳細な説明】
【技術分野】
【０００１】
この発明は、例えば、永久磁石モーターに使用される回転電機の固定子に関するものである。
【背景技術】
【０００２】
永久磁石がローターに配置された永久磁石モーターの固定子のティースには、集中巻コイルが使用される。集中巻コイルは、１つのティースに電線が巻回されるコイルをいい、例えば、特許文献１に示される。この種のコイルでは、通常各部分が、３相（Ｕ相，Ｖ相，Ｗ相）になっており、各相コイルが１本の接続導線で接続され、モーターの外側で接続される構造を採っている。これらの接続導線は長年の電磁振動などにより動いて、接続部が外れたり、接続導線が絶縁被膜で覆われている場合は、振動でこすれ合って絶縁被膜が破れたりする恐れがあるため、接続導線の固定は、確実に行われる必要がある。
【０００３】
従来から、接続導線を固定する方法として、例えば、特許文献１の図９に示す方法がある。固定子の製造方法においては、磁性材を所定の枚数積層して、ステータコアーを形成後、各ティースの外周面及びヨークの内面に、絶縁ボビンを成形する。その後、各ティースに電線を巻回してコイルを形成する。次いで、各コイルの端末を、それぞれ対応するコイル端末接合端子のフック状部に挟み込み、加圧／通電により、接続（ヒュージング接続）した後、端子間接続導体により各コイルを接続する方法が採られている。
【０００４】
【特許文献１】特開２０００−７８７８９号公報（図３、図９）
【発明の開示】
【発明が解決しようとする課題】
【０００５】
上記のような従来の回転電機の固定子では、端子間接続導体をコイル端末接合端子にそのまま接続しているため、モーター容量が大きくなって（数ｋｗ以上）、流れる電流が大きくなり、端子間接続導体の長さ及び径が大きく（例えば、Φ７５０ｍｍ以上に）なると、電磁振動が大きくなるため、振動により接続部が外れたり、コアー部分（アース）に接触して、不具合が生じるという問題点があった。
この発明は、上記のような問題点を解消するためになされたもので、接続導体を確実に固定し、しかも安価で効率よく作業できるようにした回転電機の固定子を得ることを目的とする。
【課題を解決するための手段】
【０００６】
この発明に係わる回転電機の固定子は、リング状のコアの内側に複数のティースがヨークより突出され、上記各ティース及びヨークに絶縁ボビンが成形され、上記絶縁ボビンを介して上記各ティースに電線が複数層巻回されてコイルが形成されるものにおいて、上記各コイルと接続する接続導体を、上記絶縁ボビンに嵌め込まれ固定される樹脂成形品により固定するようにしたものである。
【発明の効果】
【０００７】
この発明の回転電機の固定子によれば、電磁振動による接続導体の動きを防止することができ、樹脂成形品は絶縁ボビンに嵌め込まれて固定されるので、容易に強固に固定される。
【発明を実施するための最良の形態】
【０００８】
実施の形態１．
図１はこの発明の実施の形態１に係わる回転電機の固定子の巻線部分の拡大断面図、図２は実施の形態１の集中巻コイルを示す断面図、図３は実施の形態１の端子間接続導体を取付けた拡大断面図、図４は実施の形態１の端子間接続導体の支え部の拡大断面図、図５は実施の形態１における端子間接続導体の支えの固定方法を説明する図であり、図中同一符号は同一部分を示す。
【０００９】
図において、リング状の固定子コア１は磁性板が積層されて形成され、複数のコア部材１Ａにより構成されている。コア部材１Ａはヨーク１Ａｂの薄肉部１Ａａを介して互いに屈曲可能に連結されており、各ヨーク１Ａｂには、それぞれティース１Ａｃが突出して形成されている。絶縁シート２がティース１Ａｃとヨーク１Ａｂの内側に施されている。その絶縁シート２を介して、ティース１Ａｃとヨーク１Ａｂの内側には絶縁ボビン３が成形されている。電線４が絶縁シート２と絶縁ボビン３を介してティース１Ａｃに巻回されている。図２で１０はローター、１０ａは永久磁石である。
【００１０】
図６は実施の形態１の巻線方法を説明する図、図７は実施の形態１の巻線方法を説明する図である。コア部材１Ａは図６に示す直線状態から、薄肉部１Ａａを屈曲させることにより、図７に示すように、各ティース１Ａｃが外側になるように円弧状に変形しておく。次に、各ティース１Ａｃとヨーク１Ａｂの内側に絶縁シート２と絶縁ボビンを装着する。その後、巻線機により絶縁ボビン３上から電線４を巻回する。
【００１１】
その後、端子間接続導体下支え５の孔９に、絶縁ボビン３の突起部３ａを嵌め込んで端子間接続導体下支え５を絶縁ボビン３に固定する。絶縁ボビン３の突起部３ａには、抜け止め用の角３ｂがあり、突起部３ａを端子間接続導体下支え５の孔９に嵌め込んだときに、抜けでないようにしている。抜け止めを行う孔９の大きさは、抜け止め用の角３ｂを含めた突起の大きさより若干小さ目に設定されており、一度固定されると、スプリングバックにより抜け止め用の角３ｂの出っ張りが広がり、端子間接続導体下支え５が抜けにくい構造になっている。次に、図４に示すように、端子間接続導体６ａ〜６ｄを、端子間接続導体下支え５と端子間接続導体上支え８間に保持し、端子間接続導体上支え８を端子間接続導体下支え５に嵌め込んで固定する。端子間接続導体上支え８と端子間接続導体下支え５は、嵌め合いで両者が一体となり、抜けにくいように構成された樹脂成形品である。最後につなぎ線７を有するコイル端子部と端子間接続導体６ａ〜６ｄが接続部１１で接続される。
【００１２】
端子間接続導体下支え５と端子間接続導体上支え８は、樹脂成形品であるため、安価で加工が容易である。また絶縁ボビン３と嵌め込み構造になっているので、より強固に固定することができる。
【産業上の利用可能性】
【００１３】
この発明の回転電機の固定子は、永久磁石モーターに使用されて好適である。
にも適用できる。
【図面の簡単な説明】
【００１４】
【図１】この発明の実施の形態１に係わる回転電機の固定子の巻線部分の拡大断面図である。
【図２】実施の形態１の集中巻コイルを示す断面図である。
【図３】実施の形態１の端子間接続導体を取付けた拡大断面図である。
【図４】実施の形態１の端子間接続導体の支え部の拡大断面図である。
【図５】実施の形態１における端子間接続導体の支えの固定方法を説明する図である。
【図６】実施の形態１の巻線方法を説明する図である。
【図７】実施の形態１の巻線方法を説明する図である。
【符号の説明】
【００１５】
１  コア                                １Ａ  コア部材
１Ａａ  薄肉部                          １Ａｂ  ヨーク
１Ａｃ  ティース                        ２  絶縁シート
３  絶縁ボビン                          ３ａ  突起部
３ｂ  抜け止め用の角                    ４  電線
５  端子間接続導体下支え                ６ａ〜６ｄ  端子間接続導体
７  つなぎ線                            ８  端子間接続導体上支え
９  孔                                １０  ローター
１０ａ  永久磁石                        １１  接続部。
【図１】
2005130580.tif 000003
【図２】
2005130580.tif 000004
【図３】
2005130580.tif 000005
【図４】
2005130580.tif 000006
【図５】
2005130580.tif 000007
【図６】
2005130580.tif 000008
【図７】
2005130580.tif 000009